【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
プロセス制御システムの第１のフィールドデバイスまたは前記プロセス制御システムの第２のフィールドデバイスのうちの１つに通信的に連結される、第１の物理インターフェースと、
前記プロセス制御システムのコントローラにバスを介して通信的に連結される、第２の物理インターフェースと、
を備えるベースと、
前記ベースに取り外し可能に取り付けられたモジュールであって、前記第１の物理インターフェースが前記第１のフィールドデバイスに通信的に連結された時に、前記第１のフィールドデバイスと第１の通信プロトコルを使用して通信し、前記第１の物理インターフェースが前記第２のフィールドデバイスに通信的に連結された時に、前記第２のフィールドデバイスと第２の通信プロトコルを使用して通信し、前記コントローラと、第３の通信プロトコルを使用する前記バスを介して通信し、前記第３の通信プロトコルが、前記第１と前記第２との通信プロトコルとは異なる、モジュールと、
を備える、装置。
【請求項２】
前記第１の通信プロトコルまたは前記第２の通信プロトコルのうちの少なくとも１つが、フィールドバスプロトコルである、請求項１に記載の装置。
【請求項３】
前記第１の物理インターフェースは、前記第１のフィールドデバイスに連結された時に、第１の通信プロトコルを使用して通信し、前記第２のフィールドデバイスに連結された時に、第２の通信プロトコルを使用して通信し、
前記モジュールは、前記第１の物理インターフェースに通信的に連結された通信プロセッサであって、前記第１のフィールドデバイスまたは前記第２のフィールドデバイスのうちの前記１つから受信した第１の情報を、前記バスを介した通信のために符号化する、通信プロセッサを含み、
前記第２の物理インターフェースは、前記第１の情報を、前記第３の通信プロトコルを使用する前記バスを介して、前記プロセス制御システムの前記コントローラに伝えるために、前記通信プロセッサと前記バスとに通信的に連結され、前記バスが、前記第３の通信プロトコルを使用して、前記第１のフィールドデバイスまたは前記第２のフィールドデバイスのうちの他方から受信した第２の情報を伝える、
請求項１又は２に記載の装置。
【請求項４】
前記第１の通信プロトコルがＰｒｏｆｉｂｕｓ  ＰＡである、請求項２又は３に記載の装置。
【請求項５】
前記第２の通信プロトコルがＦＯＵＮＤＡＴＩＯＮフィールドバスＨ１である、請求項２〜４の何れか１項に記載の装置。
【請求項６】
前記第１の通信プロトコルまたは前記第２の通信プロトコルのうちの少なくとも１つが、無線ＨＡＲＴである、請求項１〜５の何れか１項に記載の装置。
【請求項７】
前記第１の通信プロトコルまたは前記第２の通信プロトコルのうちの少なくとも１つが、インターネットプロトコルに基づいている、請求項１〜６の何れか１項に記載の装置。
【請求項８】
前記第１の通信プロトコルまたは前記第２の通信プロトコルのうちの少なくとも１つが、Ｍｅｓｓａｇｅ  Ｑｕｅｕｅ  Ｔｅｌｅｍｅｔｒｙ  Ｔｒａｎｓｐｏｒｔである、請求項１〜７の何れか１項に記載の装置。
【請求項９】
前記第１の通信プロトコルまたは前記第２の通信プロトコルのうちの少なくとも１つが、トンネルプロトコルを実装し、対応する前記第１のフィールドデバイスまたは前記第２のフィールドデバイスのうちの少なくとも１つが、安全デバイスである、請求項１〜８の何れか１項に記載の装置。
【請求項１０】
前記第１のフィールドデバイスがＰｒｏｆｉｂｕｓ  ＰＡ準拠であり、前記第１の物理インターフェースに、ポイントツーポイントアーキテクチャで、ＤＰ／ＰＡセグメントカプラーなしに通信的に連結されている、請求項２〜９の何れか１項に記載の装置。
【請求項１１】
通信プロセッサが、前記第１の通信プロトコルに従って形式を整えられた第１の要求を、前記第１のフィールドデバイスまたは前記第２のフィールドデバイスのうちの前記１つに送信し、前記第２の通信プロトコルに従って形式を整えられた第２の要求を、前記第１のフィールドデバイスまたは前記第２のフィールドデバイスのうちの前記１つに送信し、前記第１のフィールドデバイスまたは前記第２のフィールドデバイスのうちの前記１つに関連する前記通信プロトコルが、前記第１と前記第２との要求のうちの１つへの応答に基づいて自動的に検出される、請求項２〜１０の何れか１項に記載の装置。
【請求項１２】
前記第１の物理インターフェースと、前記第１のフィールドデバイスまたは前記第２のフィールドデバイスのうちの前記１つとの間の物理層と通信との分析に対応する診断情報を生成する、診断分析器をさらに備える、請求項２〜１１の何れか１項に記載の装置。
【請求項１３】
前記第３の通信プロトコルが、前記バス上の情報を、前記バスと通信し、前記第１のフィールドデバイスまたは前記第２のフィールドデバイスのうちの他方と通信している、第２のモジュールから伝える、請求項１〜１２の何れか１項に記載の装置。
【請求項１４】
第１の情報を、プロセス制御システムの第１のフィールドデバイスまたはプロセス制御システムの第２のフィールドデバイスのうちの１つに通信的に連結される第１の物理インターフェースを有するベースにおいて受信することと、
前記ベースに取り外し可能に取り付けられたモジュールにおいて、通信するための前記第１の情報を、第１の通信プロトコルを使用して符号化することであって、前記第１の情報が、前記第１の物理インターフェースが前記第１のフィールドデバイスに連結された時に、前記モジュールに前記第１のフィールドデバイスから第２の通信プロトコルを使用して伝えられ、前記第１の情報が、前記第１の物理インターフェースが前記第２のフィールドデバイスに連結された時に、前記モジュールに前記第２のフィールドデバイスから第３の通信プロトコルを使用して伝えられ、前記第１の通信プロトコルが、前記第１と第２との通信プロトコルとは異なる、符号化することと、
前記符号化された第１の情報を、前記モジュールから、前記ベースの第２の物理インターフェースを介してコントローラに、前記第１の通信プロトコルを使用するバスを介して伝えることと、
を備える、方法。
【請求項１５】
前記第１のフィールドデバイスまたは前記第２のフィールドデバイスのうちの前記１つが前記第１の物理インターフェースに通信的に連結された時に、前記第１のフィールドデバイスまたは前記第２のフィールドデバイスのうちの前記１つに関連する、前記第２の通信プロトコルまたは前記第３の通信プロトコルを自動的に検出することをさらに備える、請求項１４に記載の方法。
【請求項１６】
前記第２の通信プロトコルまたは前記第３の通信プロトコルを、
第１の要求を、前記第１のフィールドデバイスまたは前記第２のフィールドデバイスのうちの前記１つに送信することであって、前記第１の要求が前記第２の通信プロトコルに従って形式を整えられている、第１の要求を送信することと、
第２の要求を、前記第１のフィールドデバイスまたは前記第２のフィールドデバイスのうちの前記１つに送信することであって、前記第２の要求が、前記第３の通信プロトコルに従って形式を整えられている、第２の要求を送信することと、
前記第１の要求への応答が受信された場合、前記第１のフィールドデバイスまたは前記第２のフィールドデバイスのうちの前記１つが、前記第２の通信プロトコルに関連付けられていると判断することと、
前記第２の要求への応答が受信された場合、前記第１のフィールドデバイスまたは前記第２のフィールドデバイスのうちの前記１つが、前記第３の通信プロトコルに関連付けられていると判断することと、
によって自動的に検出することをさらに備える、請求項１５に記載の方法。
【請求項１７】
前記第１の物理インターフェースと、前記第１のフィールドデバイスまたは前記第２のフィールドデバイスのうちの前記１つとの間の物理層と通信とを監視して、診断情報を生成することをさらに備える、請求項１４〜１６の何れか１項に記載の方法。
【請求項１８】
前記診断情報が、供給電圧、負荷電量、信号レベル、ラインノイズ、またはジッターのうちの少なくとも１つの測定結果を備える、請求項１７に記載の方法。